(57)【要約】【課題】  回転ねじれや乱巻きによるケーブルの断線を低減すること。【解決手段】  余長を有するケーブル３１を蛇行させて保持し、該ケーブル３１の巻き取り／引き出しを調整するケーブル巻取装置１において、本体ケース１１内に設けた第１の支持板部１３と、該第１の支持板部１３上の第１の方向で間隔をもって設けた複数の巻付け固定軸１６と、前記第１の支持板部１３に対向する第２の支持板部２３と、前記第１の方向で間隔をもって前記第１及び第２の支持板部１３、２３に支持した複数の可動回転軸１７と、前記第１及び第２の支持板部１３，２３間に設けた複数の巻きバネ２５とを有し、前記巻きバネ２５のそれぞれが異なるバネ力を有する。【選択図】  図２
2007119164.tif 000002
【特許請求の範囲】
【請求項１】
余長を有するケーブルを蛇行させて保持し、該ケーブルの巻き取り／引き出しを調整するケーブル巻取装置において、
本体ケースと、本体ケース内に設けた第１の支持板部と、該第１の支持板部上の一方向及び該一方向とは逆方向である第１の方向で間隔をもって設けた複数の巻付け固定軸と、前記第１の支持板部に対向する第２の支持板部と、前記第１の方向で間隔をもって前記第１及び第２の支持板部に支持した複数の可動回転軸と、前記巻付け固定軸及び前記可動回転軸に前記ケーブルを蛇行させて巻き付けた際に、前記可動回転軸のそれぞれに巻き付け保持されて前記可動回転軸を前記第１の支持板部に沿って前記第１の方向を交叉する第２の方向へ移動可能にかつ付勢するように前記第１及び第２の支持板部間に設けた複数の巻きバネとを有し、前記巻きバネのそれぞれが異なるバネ力を有することを特徴とするケーブル巻取装置。
【請求項２】
請求項１記載のケーブル巻取装置において、前記可動回転軸は、前記ケーブルを引き出す側の前記可動回転軸から前記ケーブルを導入する側の前記可動回転軸につれて、前記巻きバネのバネ力が弱から強となっていることを特徴とするケーブル巻取装置。
【請求項３】
請求項１又は２記載のケーブル巻取装置において、前記本体ケースは、前記第２の支持板部に対向している第３の支持板部を有し、前記第２及び第３の支持板部間には、前記可動回転軸の前記第２の方向への移動を所定位置で停止するストッパーと、該ストッパーに一端部を保持したストッパー巻きバネと、該ストッパー巻きバネの他端を保持したストッパー回転軸とを有することを特徴とするケーブル巻取装置。
【請求項４】
請求項３記載のケーブル巻取装置において、前記第３の支持板部には、前記第１の方向へ前記ストッパーを移動可能とするストッパー穴が形成されており、該ストッパー穴には、前記ストッパーの前記第１の方向への移動を停止する複数のストッパー部が形成されていることを特徴とするケーブル巻取装置。
【請求項５】
請求項４記載のケーブル巻取装置において、前記ストッパーと前記ストッパー回転軸とは、前記第１の方向で外側の前記可動回転軸よりも外側に位置しており、前記ストッパー巻きバネは前記可動回転軸に隣接していることを特徴とするケーブル巻取装置。
【請求項６】
請求項１乃至５のいずれか１項に記載のケーブル巻取装置において、前記第１の軸支持板部には、前記第２の方向へ延びている複数のガイド穴が形成されており、
前記第２の軸支持板部には、前記第２の方向へ延びている複数の支持ガイド穴が形成されており、支持ガイド穴及び前記支持ガイド穴のそれぞれには、前記可動回転軸が一対一に貫通していることを特徴とするケーブル巻取装置。
【請求項７】
請求項１乃至６のいずれか１項に記載のケーブル巻取装置において、可動回転軸は、筒形状の可動軸部と、前記可動軸部の一軸方向の上端部の周囲を覆うように位置している筒形状の巻きブッシュと、前記可動軸部の一軸方向の下端に接続されている円板形状の可動支持部とを有し、前記可動回転軸の上端部は、前記ガイド穴を通して前記第１の支持板部上へ突出していることを特徴とするケーブル巻取装置。
【発明の詳細な説明】
【技術分野】
【０００１】
本発明は、電源ケーブルや通信用ケーブルなどの各種電気・電子機器のケーブルを巻き取り／引き出しに使用されるケーブル巻取装置に関する。
【背景技術】
【０００２】
従来技術１としては、使用に際して、正五角形の５つの多段巻取プーリに外接して捲回されたケーブルの一側の引き出し端末または他側の引き出し端末のいずれからでも使用便宜を考慮して巻取ケースから引き出すケーブル巻取装置が開示されたものが知られている。
【０００３】
ケーブル引出力によって、５つの多段巻取プーリのそれぞれは、中心方向へ引き寄せられる向心力が働き、五角形が漸次縮小される形に各プーリがそれぞれの懸架バネを引き伸ばすように働いて移動する。そのようにしてケーブルは必要な長さだけ引き出される。
【０００４】
引き出したケーブルを再び巻取ケースに巻き戻して使用を終了する際、引出位置からケーブルの引出力を開放すると、懸架ばねがその弾發力で、ばね長さを縮小する方向へ作用する。すなわち、懸架ばねの縮小によるばね力でプーリ軸受ステイが遠心方向へ拡開して移動し、それに伴って多段巻取プーリが回転してケーブルが次第に巻き戻される（例えば、特許文献１を参照）。
【０００５】
従来技術２としては、使用に際して、星形の５つの多段巻取プーリと、多段固定軸プーリに外接して等辺多角形にケーブルが捲回され、そのケーブルの一側の引き出し端末または他側の引き出し端末のいずれからでも使用便宜を考慮して巻取ケースから引き出すケーブル巻取装置が開示されたものが知られている。
【０００６】
ケーブル引出時の引張力によって、５つの多段巻取プーリが懸架ばねを引き伸ばしつつケーブル外接形を縮小させる中心に向かって引き寄せられて一斉に移動する。そのようにしてケーブルは必要な長さだけ引き出される。
【０００７】
一方、引き出した状態のケーブルを再び巻取ケースに巻き戻して使用を終了する際、引出位置からケーブルに加えた引張力を解除すると、懸架ばねが元長さに縮小する。すなわち、懸架ばねが縮小するときの圧縮力で可変軸受ステイを介して各多段可変プーリが放射方向の外側へ引っ張られて放射状に一斉に広がる。そうした多段可変プーリの広がり動作によってケーブル外接が次第に大きくなり、ケーブルを巻き戻す（例えば、特許文献２を参照）。
【０００８】
従来技術３としては、スプールプロテクタ内に収容されたワイヤーハーネスは、バックドアが開けられた際、バックドア側と接続されたワイヤーハーネスが電線引出部より引き出され、スプールプロテクタの内部で迂回するワイヤーハーネスの迂回距離が短くなり、ワイヤーハーネスの引っ張りによって可動部材が電線引き込み部および電線引出部側へ移動し、ワイヤーハーネスはバックドアの開動作に追従するスプールプロテクタが開示されたものが知られている。
【０００９】
逆に、バックドアが閉じられると、バックドア側へのワイヤーハーネスへの引張り力が無くなり，環状ゴムバネの復元力で可動部材が原状位置に引き戻され、その力によってワイヤーハーネスの迂回距離が大きくなり戻されて、ワイヤーハーネスの引き出された余分な部分は電線引出部から内部に巻き戻されて吸収される。
【００１０】
このスプールプロテクタを用いると、ワイヤーハーネスがトランクルーム内で垂れ下がることもなく、自動的に引き出し巻き戻しされるので、ワイヤーハーネスが積載物」などに引っかかることも断線したりして損傷するのを防止できるとともに、概観も良好となる（例えば、特許文献３を参照）。
【００１１】
従来技術４としては、保持具が鋸状凹凸部の最上段に位置した状態にあるケース内にワイヤーハーネスを収納した後、余長を有する単数あるいは複数の電線を切欠き部を通して止め具に引掛け、次いで、電線の長さに応じて止め具を鋸状凹凸部に沿って下方に移動させる線材束の保持用プロテクタが開示されたものが知られている。
【００１２】
このため、電線が蛇行された状態で保持具に保持され、電線のたるみが吸収される（例えば、特許文献４を参照）。
【００１３】
【特許文献１】特開２００２−００３０８５号公報
【特許文献２】特開２００２−１１４４５１号公報
【特許文献３】特開２００４−０９８９３２号公報
【特許文献４】特開平０９−１１７０３１号公報
【発明の開示】
【発明が解決しようとする課題】
【００１４】
しかしながら、上記特許文献１乃至４の構成ではドラム式であるがケーブルを巻き取ると巻き取り側の一端が回転してねじれ、ケーブル（電線）の断線が容易に発生する。
【００１５】
また、それを防止するためには、複雑な接触機構が必要となり、接触不良を引き起こすことがあった。さらには、乱巻きによりケーブル（電線）の断線が発生するという問題がある。
【００１６】
従って、巻き取りポイントを複数有するケーブル（電線）を折り畳む方式では、ケーブルを巻き取ると巻き取り側の一端が回転してねじれ、ケーブル（電線）の断線を防止するために、複雑な接触機構が必要となり、接触不良を引き起こすという問題がある。さらには、乱巻きによりケーブル（電線）の断線が発生した。
【００１７】
それ故に、本発明の課題は、回転ねじれや乱巻きによるケーブルの断線を低減することができるケーブル巻取装置を提供することにある。
【課題を解決するための手段】
【００１８】
上記課題を解決するために、本件発明は、以下の特徴を有する課題を解決するための手段を採用している。
【００１９】
本発明によれば、余長を有するケーブルを蛇行させて保持し、該ケーブルの巻き取り／引き出しを調整するケーブル巻取装置において、本体ケースと、本体ケース内に設けた第１の支持板部と、該第１の支持板部上の一方向及び該一方向とは逆方向である第１の方向で間隔をもって設けた複数の巻付け固定軸と、前記第１の支持板部に対向する第２の支持板部と、前記第１の方向で間隔をもって前記第１及び第２の支持板部に支持した複数の可動回転軸と、前記巻付け固定軸及び前記可動回転軸に前記ケーブルを蛇行させて巻き付けた際に、前記可動回転軸のそれぞれに巻き付け保持されて前記可動回転軸を前記第１の支持板部に沿って前記第１の方向を交叉する第２の方向へ移動可能にかつ付勢するように前記第１及び第２の支持板部間に設けた複数の巻きバネとを有し、前記巻きバネのそれぞれが異なるバネ力を有するケーブル巻取装置が得られる。
【発明の効果】
【００２０】
本発明のケーブル巻取装置によれば、以下に記載するような効果を奏する。
【００２１】
第１の効果として、巻きバネのバネ力を弱から強へと異なるようにしているので、安定してケーブルを巻き取ることができることである。
【００２２】
第２の効果としては、巻き取り方式を折りたたみ式、及びその軸が移動、回転運動を複数の場所で有しているので、ケーブルへの引っぱり負荷を分散し、断線を防止できる。
【００２３】
したがって、自動でケーブルを巻き取ることにおいて、フレキシブルにケーブルを巻き取ることで、回転ねじれや乱巻きによるケーブルの断線を低減することができる。
【発明を実施するための最良の形態】
【００２４】
本発明に係るケーブル巻取装置によれば、余長を有するケーブルを蛇行させて保持し、該ケーブルの巻き取り／引き出しを調整するケーブル巻取装置において、本体ケースと、本体ケース内に設けた第１の支持板部と、該第１の支持板部上の一方向及び該一方向とは逆方向である第１の方向で間隔をもって設けた複数の巻付け固定軸と、前記第１の支持板部に対向する第２の支持板部と、前記第１の方向で間隔をもって前記第１及び第２の支持板部に支持した複数の可動回転軸と、前記巻付け固定軸及び前記可動回転軸に前記ケーブルを蛇行させて巻き付けた際に、前記可動回転軸のそれぞれに巻き付け保持されて前記可動回転軸を前記第１の支持板部に沿って前記第１の方向を交叉する第２の方向へ移動可能にかつ付勢するように前記第１及び第２の支持板部間に設けた複数の巻きバネとを有し、前記巻きバネのそれぞれが異なるバネ力を有することにより実現する。
【実施例１】
【００２５】
図１は、本発明に係るケーブル巻取装置の実施例１を示している。図２は、図１に示したケーブル巻取装置においてカバーを取り除いた状態を示している。図３は、図２に示したケーブル巻取装置においてケーブルを引き出す途中の状態を示している。図４は、図３に示したケーブル巻取装置においてケーブルを引き出す途中の状態を断面によって示している。
【００２６】
図１乃至図４を参照して、ケーブル巻取装置１は、上面が開口している長方形状の本体ケース１１と、本体ケース１１内に設けられている第１の支持板部１３と、第１の支持板部１３に固定されている複数の固定軸１５及び巻付け固定軸１６と、第１の支持板部１３に移動可能に支持されている複数の可動回転軸１７と、第１の支持板部１３に対向して可動回転軸１７を支持している第２の支持板部と、可動回転軸１７に連結さられている帯状の巻きバネ２５とを有している。
【００２７】
本体ケース１１には、カバー２１が被せられている。カバー２１は、本体ケース１１の上面の開口及び本体ケース１１の外側面を覆うように本体ケース１１に対して着脱可能に設けられている。
【００２８】
本体ケース１１は、長方形状の底板部である第３の支持板部（部図４を参照）１１ａと、一対の第１の側板部１１ｂ，１１ｃと、一対の第１の側板部１１ｂ，１１ｃの両端間を接続している一対の第２の側板部１１ｄ、１１ｅとを有する。
【００２９】
一対の第１の側板部１１ｂ，１１ｃは、第３の支持板部１１ａの長手方向（図２に示した第１の方向Ａ１，Ａ２を参照）に平行な一対の辺のそれぞれに接続されている。一対の第２の側板部１１ｄ、１１ｅは、一対の第１側板部１１ｂ，１１ｃの両端間を接続しかつ第１の方向Ａ１，Ａ２を直交する幅方向（図２に示した第２の方向Ｂ１，Ｂ２を参照）で第３の支持板部１１ａの一対の辺に接続している。
【００３０】
一方の第２の側板部１１ｄには、一方の第１の側板部１１ｂの近傍にかつ開口の上端から第３の支持板部１１ａ側へ向かって第１の切り欠き部１１ｆが形成されている。他方の第２の側板部１１ｅには、一方の第１の側板部１１ｂの近傍にかつ開口の上端から第３の支持板部１１ａ側へ向かって第２の切り欠き部１１ｇが形成されている。
【００３１】
第１の切り欠き部１１ｆは、本体ケース１１内に巻き取られているケーブル３１を本体ケース１１内から引き出すための通路となる。第２の切り欠き部１１ｇは、本体ケース１１内へケーブル３１を導入するための通路となる。
【００３２】
カバー２１には、本体ケース１１を覆ったときに、第１及び第２の切り欠き部１１ｆ，１１ｇに対応する位置にケーブル３１を通すための貫通穴２１ａが形成されている。
【００３３】
第１の支持板部１３には、第２の方向Ｂ１，Ｂ２へ延びている複数のガイド穴１３ａが形成されている。ガイド穴１３ａは、第１の支持板部１３の表裏面を貫通している。複数のガイド穴１３ａは、第１の方向Ａ１，Ａ２で互いに間隔をもって配列されている。ガイド穴１３ａのそれぞれには、可動回転軸１７が一対一に貫通している。
【００３４】
可動回転軸１７は、図５にも示すように、円筒形状の可動軸部１８と、可動軸部１８の一軸方向の上端部の周囲を覆うように位置している筒形状の巻きブッシュ１９と、可動軸部１９の一軸方向の下端に接続されている円板形状の可動支持部２０とを有している。
【００３５】
可動回転軸１７の上端部は、ガイド穴１３ａを通して第１の支持板部１３上へ突出している。巻きブッシュ１９は、一軸を中心として可動回転軸１７の上端部の周方向へ回動可能となっている。巻きブッシュ１９の外周面には、ケーブル３１が平面略Ｕ字状に曲げられて係止される。
【００３６】
第２の支持板部は、本体ケース１１内において第１の支持板部１３と第３の支持板部１１ａとの間に設けられている。第２の支持板部には、図６に示すように、第２の方向Ｂ１，Ｂ２へ延びている複数の支持ガイド穴２３ａが形成されている。支持ガイド穴２３ａは、第２の支持板部の表裏面を貫通している。複数の支持ガイド穴２３ａは、第１の方向Ａ１，Ａ２で互いに間隔をもって配列されている。
【００３７】
支持ガイド穴２３ａのそれぞれには、可動回転軸１７が一対一に設けられている。第２の方向Ｂ１，Ｂ２へ長い複数の支持ガイド穴２３ａが形成されている。複数の支持ガイド穴２３ａは、第１の方向Ａ１，Ａ２で互いに間隔をもって配列されている。支持ガイド穴２３ａのそれぞれには、可動回転軸１７が一対一に設けられている。
【００３８】
即ち、支持ガイド穴２３ａには、可動軸部１９の一軸方向の下端部が貫通している。可動支持部２０は、本体ケース１１の第３の支持板部１１ａと第１の支持板部１３との間に位置している。
【００３９】
したがって、ガイド穴１３ａと支持ガイド穴２３ａとは、上下で一対一に相対向している。可動回転軸１７の上端部及び巻きブッシュ１９は、第１の支持板部１３に沿ってガイドされて第２方向Ｂ１，Ｂ２方向へ移動可能となる。可動回転軸１７の下端部及び可動支持部２０は、第２の支持板部２３に沿ってガイドされて第２方向Ｂ１，Ｂ２方向へ移動可能となる。
【００４０】
さらに、可動回転軸１７の可動軸部１９には、一軸方向に延びているバネ保持穴１８ａが形成されている。バネ保持穴１８ａには、図５に示した巻きバネ２５の一端部が挿入されて保持されている。巻きバネ２５は、図６に示すように、自然状態において可動軸部１９に巻回されている。巻きバネ２５の他端部は、本体ケース１１の一部に固定されている。巻きバネ２５は、第１の支持板部１３と第２の支持板部２３との間に位置している。可動回転軸１７は、第２の方向Ｂ１，Ｂ２へケーブル３１を引っ張る力、及び、巻きバネ２５の力により移動することが出来る。
【００４１】
したがって、図４によって明らかなように、本体ケース１１内は、第１の軸支持板部１３上は、ケーブル３１が位置するケーブル側層、巻きバネ２５が位置する巻きバネ層と、可動回転軸１７の可動支持部２０が位置する可動支持部層との３つに分割されている。
【００４２】
第１の支持板部１３には、第１の切り欠き部１１ｆの近傍に一対の固定軸１５が固定されている。第１の支持板部１３には、第２の切り欠き部１１ｇの近傍に一対の固定軸１５が固定されている。一対の固定軸１５の隙間には、ケーブル３１が挿通される。固定軸１５の外周には、ケーブル３１に当接して一軸を中心として回動する巻きブッシュ１５ａが取り付けられている。
【００４３】
また、第１の支持板部１３には、各一対の固定軸１５のそれぞれの間に複数の巻付け固定軸１６が第１の方向Ａ１，Ａ２で互いに間隔をもって配列されている。巻付け固定軸１６は、ガイド穴１３ａの第２の方向Ｂ１側の一方端よりも一方の第１の側板部１１ｂ側に位置している。
【００４４】
また、巻付け固定軸１６は、第１の方向Ａ１，Ａ２において複数のガイド穴１３ａの間に位置するように一方の側板部１１ｂ側に位置している。巻付け固定軸１６の外周には、ケーブル３１を平面略Ｕ字状に巻き回すように一軸を中心として周方向に回動する巻きブッシュ１６ａが取り付けられている。
【００４５】
さらに、巻きバネ２５は、複数の可動回転軸１７ごとにバネ力が異なるものである。即ち、可動回転軸１７がケーブル３１を引き出している途中を示した図３において、可動回転軸１７は、ケーブル３１を引き出す側の可動回転軸１７（１７−１）から他方の第１の方向Ａ２で可動回転軸１７（１７−２）、可動回転軸１７（１７−３）、可動回転軸１７（１７−４），可動回転軸１７（１７−５）、ケーブル３１を導入する側の可動回転軸１７（１７−６）につれて、巻きバネ１８のバネ力が、弱から強となるように構成している。
【００４６】
したがって、巻付け固定軸１６及び可動回転軸１７のそれぞれには、余長を有するケーブル３１を蛇行させて保持することができ、ケーブル３１の弛みに応じてケーブル３１の巻き取りを調整することが可能である。
【００４７】
以下に、ケーブル巻取装置１によりケーブルを巻き取り及び引き出す操作を説明する。
【００４８】
図２及び図６に示したように、ケーブル巻取装置１では、第１の支持板部１３上で各一対の固定軸１５間にケーブル３１を通し、５つの巻付け固定軸１６及び６つの可動回転軸１７に余長を有するケーブル３１を蛇行させて収容した状態とする。この際、可動回転軸１７の可動軸部１８には、巻きバネ２５が巻き付いている状態となっている。また、巻付け固定軸１６と可動回転軸１７とは、第２の方向Ｂ１，Ｂ２でもっとも離れた位置にある。
【００４９】
次に、図３、図６及び図７に示したように、ケーブル３１を第１の切り欠き部１１ｆを通して引き出す。このとき、切り欠き部１１ｆ側の可動回転軸１７（１７−１）に巻き付いている巻きバネ２５のバネ力がもっとも弱いバネ力であることから、順次、第２の方向Ｂ２側から第１の方向Ｂ１へ可動回転軸１７（１７−１）、可動回転軸１７（１７−２）、可動回転軸１７（１７−３）がケーブル３１によって押されながら移動し、ケーブル３１が引き出される。なお、図９は、ケーブル３１を引き出す途中の状態を第２の軸支持板部上から見た図である。
【００５０】
さらに、図８に示したように、ケーブル３１を最終的に引き出した後は、可動回転軸１７が巻付け固定軸１６にすべてもっとも近い位置となる。この際、巻きバネ２５は、可動回転軸１７の可動軸部１８から最大に延びた状態となる。図１０は、図９に示したケーブル３１をさらに引き出した後の最終的な可動回転軸１７の位置を示している。
【００５１】
ケーブル３１を本体ケース１１内へ戻すには、ケーブル３１の引き出し力を解除することによって、可動回転軸１７がバネ２５の反発力によって引き戻される。この際、ケーブル３１は、図２に示したように、蛇行させて収容される。
【実施例２】
【００５２】
図１１は、本発明に係るケーブル巻取装置の実施例２を示している。図１２は、図１１に示したケーブル巻取装置を裏面から見た図である。図１３は、図１２に示したケーブル巻取装置を断面して示している。図１４は、図１示したケーブル巻取装置からカバーを取り外した状態を示している。
【００５３】
図１１乃至図１５を参照して、ケーブル巻取装置１０１は、上面が開口している長方形状の本体ケース１１１と、本体ケース１１１内に設けられている第１の支持板部１１３と、第１の支持板部１１３に固定されている複数の固定軸１１５及び巻付け固定軸１１６と、第１の支持板部１１３に移動可能に支持されている複数の可動回転軸１１７と、第１の支持板部１１３に対向して可動回転軸１１７を支持している第２の支持板部１２３と、可動回転軸１１７に連結さられている帯状の巻きバネ１２５と、ケーブル１３１を引き出す途中でケーブル１３１の引き出しを停止させるストッパー１４１とを有している。
【００５４】
本体ケース１１１には、カバー１２１が被せられている。カバー１２１は、本体ケース１１１の上面の開口及び本体ケース１１１の外側面を覆うように本体ケース１１１に対して着脱可能に設けられている。
【００５５】
本体ケース１１１は、長方形状の底板部としての第３の支持板部（図１３を参照）１１１ａと、一対の第１の側板部１１１ｂ，１１１ｃと、一対の第１の側板部１１１ｂ，１１１ｃの両端間を接続している一対の第２の側板部１１１ｄ、１１１ｅとを有する。
【００５６】
一対の第１の側板部１１１ｂ，１１１ｃは、第３の支持板部１１１ａの長手方向（図１４に示した第１の方向Ａ１，Ａ２を参照）に平行な一対の辺のそれぞれに接続されている。一対の第２の側板部１１１ｄ、１１１ｅは、一対の第１の側板部１１１ｂ，１１１ｃの両端間を接続しかつ第１の方向Ａ１，Ａ２を直交する幅方向（図１４に示した第２の方向Ｂ１，Ｂ２を参照）で第３の支持板部１１１ａの一対の辺に接続している。
【００５７】
一方の第２の側板部１１１ｄには、一方の第１の側板部１１１ｂの近傍にかつ開口の上端から第３の支持板部１１１ａ側へ向かって第１の切り欠き部１１１ｆが形成されている。他方の第２の側板部１１１ｅには、一方の第１の側板部１１１ｂの近傍にかつ開口の上端から第３の支持板部１１１ａ側へ向かって第２の切り欠き部１１１ｇが形成されている。
【００５８】
第１の切り欠き部１１１ｆは、本体ケース１１１内に巻き取られているケーブル１３１を本体ケース１１１内から引き出すための通路となる。第２の切り欠き部１１１ｇは、本体ケース１１１内へケーブル１３１を導入するための通路となる。
【００５９】
カバー１２１には、本体ケース１１１を覆ったときに、第１及び第２の切り欠き部１１１ｆ，１１１ｇに対応する位置にケーブル１３１を通すための貫通穴１２１ａが形成されている。
【００６０】
第１の支持板部１１３には、第２の方向Ｂ１，Ｂ２へ延びている複数のガイド穴１１３ａが形成されている。ガイド穴１１３ａは、第１の支持板部１１３の表裏面を貫通している。複数のガイド穴１１３ａは、第１の方向Ａ１，Ａ２で互いに間隔をもって配列されている。ガイド穴１１３ａのそれぞれには、可動回転軸１１７が一対一に設けられている。
【００６１】
可動回転軸１１７は、図１３にも示すように、円筒形状の可動軸部１１８と、可動軸部１１８の一軸方向の上端部の周囲を覆うように位置している筒形状の巻きブッシュ１１９と、可動軸部１１９の一軸方向の下端に接続されている円柱形状の可動支持部１２０とを有している。
【００６２】
可動回転軸１１７の上端部は、ガイド穴１１３ａを通して第１の支持板部１１３上へ突出している。巻きブッシュ１１９は、一軸を中心として可動回転軸１１７の上端部の周方向へ回動可能となっている。巻きブッシュ１１９の外周面には、ケーブル１３１が平面略Ｕ字状に曲げられて係止される。
【００６３】
第２の支持板部１２３は、本体ケース１１１内において第１の支持板部１１３と第３の支持板部１１１ａとの間に設けられている。第２の支持板部１２３には、図１５に示すように、第２の方向Ｂ１，Ｂ２へ延びている複数の支持ガイド穴１２３ａが形成されている。支持ガイド穴１２３ａは、第２の支持板部１２３の表裏面を貫通している。複数の支持ガイド穴１２３ａは、第１の方向Ａ１，Ａ２で互いに間隔をもって配列されている。
【００６４】
支持ガイド穴１２３ａのそれぞれには、可動回転軸１１７が一対一に設けられている。第２の方向Ｂ１，Ｂ２へ長い複数の支持ガイド穴１２３ａが形成されている。複数の支持ガイド穴１２３ａは、第１の方向Ａ１，Ａ２で互いに間隔をもって配列されている。支持ガイド穴１２３ａのそれぞれには、可動回転軸１１７が一対一に設けられている。
【００６５】
即ち、支持ガイド穴１２３ａには、可動軸部１１９の一軸方向の下端部が貫通している。可動支持部１２０は、本体ケース１１１の第３の支持板部１１１ａと中間プレート１３との間に位置している。
【００６６】
したがって、ガイド穴１１３ａと支持ガイド穴１２３ａとは、上下で一対一に相対向している。可動回転軸１１７の上端部及び巻きブッシュ１１９は、第１の軸支持板部１１３に沿ってガイドされて第２方向Ｂ１，Ｂ２方向へ移動可能となる。可動回転軸１１７の下端部及び可動支持部１２０は、第２の支持板部１２３に沿ってガイドされて第２方向Ｂ１，Ｂ２方向へ移動可能となる。
【００６７】
さらに、可動回転軸１１７の可動軸部１１９には、一軸方向に延びているバネ保持穴１１８ａが形成されている。バネ保持穴１１８ａには、図５に示すように、巻きバネ２５の一端部が挿入されて保持されている。巻きバネ１２５は、図１３及び図１５に示すように、自然状態において可動軸部１１９に巻回されている。巻きバネ１２５の他端部は、本体ケース１１１の一部に固定されている。巻きバネ１２５は、第１の支持板部１１３と第２の支持板部１２３との間に位置している。可動回転軸１１７は、第２の方向Ｂ１，Ｂ２へケーブル１３１を引っ張る力、及び、巻きバネ１２５の力により移動することが出来る。
【００６８】
したがって、図１３によって明らかなように、本体ケース１１１内は、第２の支持板部１２３上は、ケーブル１３１が位置するケーブル側層、巻きバネ１２５が位置する巻きバネ層と、可動回転軸１１７の可動支持部１２０が位置する可動支持部層との３つに分割されている。
【００６９】
第１の支持板部１１３には、第１の切り欠き部１１１ｆの近傍に一対の固定軸１１５が固定されている。固定軸１１５の隙間には、ケーブル１３１が挿通される。固定軸１１５の外周には、ケーブル１３１に当接して一軸を中心として回動する巻きブッシュ１１５ａが取り付けられている。
【００７０】
また、第１の支持板部１１３には、各一対の固定軸１１５のそれぞれの間に複数の巻付け固定軸１１６が第１の方向Ａ１，Ａ２で互いに間隔をもって配列されている。巻付け固定軸１１６は、ガイド穴１１３ａの第２の方向Ｂ１側の一方端よりも一方の側板部１１１ｂ側に位置している。また、巻付け固定軸１１６は、第１の方向Ａ１，Ａ２において複数のガイド穴１１３ａの間に位置するように一方の第１の側板部１１１ｂ側に位置している。巻付け固定軸１１６の外周には、ケーブル１３１を平面略Ｕ字状に巻き回すように一軸を中心として周方向に回動する巻きブッシュ１１６ａが取り付けられている。
【００７１】
したがって、巻付け固定軸及１１６及び可動回転軸１１７のそれぞれには、余長を有するケーブル１３１を蛇行させて保持することができ、ケーブル３１の弛みに応じてケーブル３１の巻き取りを調整することが可能である。
【００７２】
さらに、巻きバネ１２５は、複数の可動回転軸１１７ごとにバネ力が異なるものである。即ち、可動回転軸１１７がケーブル１３１を引き出している途中を示した図２０において、可動回転軸１１７は、ケーブル１３１を引き出す側の可動回転軸１１７（１１７−１）から他方の第１の方向Ａ２で可動回転軸１１７（１１７−２），可動回転軸１１７（１１７−３），可動回転軸１１７（１１７−４），可動回転軸１１７（１１７−５）、ケーブル１３１を導入する側の可動回転軸１１７（１１７−６）につれて、巻きバネ１１８のバネ力が、弱から強となるように構成している。
【００７３】
ストッパー１４１は、図１３、図１５乃至図１７に示すように、円筒形状のストッパーピン１４３の一端にストッパーノブ１４４が設けられている。ストッパーピン１４３の一端面には、ノブ支持部１４３ａが突出している。ノブ支持部１４３ａの外周面には雄ネジが形成されている。ストッパーノブ１４４には一軸方向にノブ支持部１４３ａを挿入させて固定するための貫通穴１４４ａが形成されている。貫通穴１４４ａの内側面には雌ネジが形成されている。ストッパーピン１４３の雄ネジには、ストッパーノブ１４４の雌ネジが螺合することによって一体となっている。
【００７４】
ストッパーピン１４３には、図１５に示した帯状のストッパー巻きバネ１５１の一端部が固定されている。ストッパー巻きバネ１５１の一端部は、ストッパーピン１４３の一軸方向に形成されている長いバネ保持穴１４３ｂに挿入されて保持されている。なお、ストッパー巻きバネ１５１の他端は、第２の支持板部１２３に設けられているストッパー回転軸１５３に支持されている。図１４及び図１５に示したように、ケーブル１３１が引き出されていない状態では、可動回転軸１１７が一列に配列されている。
【００７５】
第３の支持板部１１１ａには、図１２に示すように、第１の方向Ａ１，Ａ２へ長いストッパー穴１１２が形成されている。ストッパー穴１１２の第１の方向Ａ１，Ａ２に平行な一辺には、第１の方向Ａ１，Ａ２で所定間隔をもって配列されている切り欠き形状のストッパー部１１２ａが形成されている。ストッパー穴１１２には、ストッパーピン１４３のノブ支持部１４３ａが挿通している。
【００７６】
第３の支持板部１１１ａの外面には、ストッパーノブ１４４が位置している。ストッパー１４４とストッパー回転軸１５３は、第１の方向Ａ１，Ａ２で複数の可動回転軸１１７よりも外側に位置している。図１８及び図１９にも示すように、ストッパー巻きバネ１５１は、可動回転軸１１７に隣接している。
【００７７】
以下に、ケーブル巻取装置１０１によりケーブルを巻き取り、及び引き出す操作を説明する。
【００７８】
図１１乃至図１５、図１８及び図１９に示したように、ケーブル巻取装置１０１では、第１の支持板部１１３上で固定軸１１５間にケーブル１３１を通し、巻付け固定軸１１６及び可動回転軸１１７に余長を有するケーブル１３１を蛇行させて収容した状態とする。この際、可動回転軸１１７の可動軸部１１８には、巻きバネ１２５が巻き付いている状態となっている。また、巻付け固定軸１１６と可動回転軸１１７とは、第２の方向Ｂ１，Ｂ２でもっとも離れた位置にある。
【００７９】
図２０は、ケーブル１３１を引き出す途中の状態を第１の支持板部１１３上から見た図である。図２１は、図２０の状態で裏面の第２の支持板部１２３側からケーブル１３１を引き出す途中の状態を見た図である。
【００８０】
図２０及び図２１に示したように、ケーブル１３１を第１の切り欠き部１１１ｆを通して引き出す。このとき、切り欠き部１１１ｆ側の可動回転軸１１７（１１７−１）に巻き付いている巻きバネ１２５のバネ力がもっとも弱いバネ力であることから、順次、第２の方向Ｂ１へと可動回転軸１１７（１７−１）、可動回転軸１７（１７−２）、可動回転軸１７（１１７−３）がケーブル３１によって押されながら移動し、ケーブル１３１が引き出される。
【００８１】
さらに、図２２及び図２３に示したように、ケーブル１３１を最終的に引き出した後は、可動回転軸１１７のすべてが巻付け固定軸１１６にもっとも近い位置となる。この際、巻きバネ１２５は、可動回転軸１１７の可動軸部１１８から最も延びた状態となる。
【００８２】
なお、図２０および図２１によって理解できるように、ケーブル１３１を引き出している途中の状態では、ストッパー１４４がストッパー巻きバネ１５１によって第１の方向Ａ１，Ａ２の途中まで至り、ストッパー部１１２ａにストッパーピン１４３のノブ支持部１４３ａが係合することからケーブル１３１の引き出しを停止させることができる。
【００８３】
具体的には、図２４および図２５にも示すように、ストッパー１４１によって可動回転軸１１７の移動を不可とし、引き出せるケーブル１３１の長さを可変することができる。ストッパー１４４は、スライド式であり、６個の可動回転軸１１７のいずれかの移動を不可とする位置と、６個の可動回転軸１１７のすべてが移動可能の位置で固定することが可能である。
【００８４】
例えば、最も巻きバネ２５が弱い可動回転軸１１７の位置で固定されるとケーブル１１３は引き出すことができず、６個の可動回転軸１１７のすべてが移動可能の位置で固定されると収容されているすべてのケーブル１１３を引き出すことができる。
【００８５】
ケーブル１３１を本体ケース１１１内へ戻すには、ケーブル３１を保持しているストッパーをストッパー部１１１ｃから外すことによって、可動回転軸１１７がバネ１２５の反発力によって引き戻される。この際、ケーブル１３１は、図１４に示したように、蛇行させて収容される。
【００８６】
なお、実施例２によって説明したケーブル巻取装置を実施例１に採用して実行することによっても、上記した各実施で説明した機能及び効果と同等の機能及び効果を得ることができ、本発明の課題を解決することができる。
【００８７】
また、上記した各実施例１，２の形態は、本発明を好適に実施した形態の一例に過ぎず、本発明は、その主旨を逸脱しない限り、種々変形して実施することが可能なものである。
【図面の簡単な説明】
【００８８】
【図１】本発明に係るケーブル巻取装置の実施例１を示しており、ケーブル巻取装置の概観を示す斜視図である。
【図２】図１に示したケーブル巻取装置のカバーを取り除いた状態を示す斜視図である。
【図３】図２に示したケーブル巻取装置の可動回転軸の動きを示しており、ケーブルを引き出す途中の状態を示す平面図である。
【図４】図３に示したケーブル巻取装置のＩＶ−ＩＶ線断面図である。
【図５】図３に示したケーブル巻取装置の可動回転軸を示す斜視図である。
【図６】図２に示したケーブル巻取装置の第１の支持板部を除いた状態を示す斜視図である。
【図７】図２に示したケーブル巻取装置からケーブルを引き出す途中の状態を示す斜視図である。
【図８】図６に示したケーブル巻取装置の可動回転軸の動きを示しており、ケーブルを引き出した後の状態を示す斜視図である。
【図９】図７に示したケーブル巻取装置の可動回転軸の位置を第１の支持板部を取り除いた状態で示した斜視図である。
【図１０】図８に示したケーブル巻取装置の可動回転軸の位置を示した斜視図である。
【図１１】本発明に係るケーブル巻取装置の実施例２を示す斜視図である。
【図１２】図１１に示したケーブル巻取装置を裏面から見た図である。
【図１３】図１２示したケーブル巻取装置のＸＩＶ−ＸＩＶ線断面図である。
【図１４】図１１に示したケーブルを引き出す前の可動回転軸の位置をカバーを取り除いた状態で見た斜視図である。
【図１５】図１４に示したケーブルを引き出す前の可動回転軸及びストッパーの位置を裏面から見た斜視図である。
【図１６】図１２に示したストッパーを示す斜視図である。
【図１７】図１３に示したストッパーを分解して示した斜視図である。
【図１８】図１１に示したカバー及び本体ケースを除いたケーブル巻取装置を示しており、ケーブルを引き出す前の状態を示す斜視図である。
【図１９】図１８に示したケーブル巻取装置の裏面を示す斜視図である。
【図２０】図１８に示したケーブル巻取装置においてケーブルを引き出す途中の状態を示す斜視図である。
【図２１】図２０に示したケーブル巻取装置を裏面から見た斜視図である。
【図２２】図２０に示したカバー及び本体ケースを除いたケーブル巻取装置を示しており、ケーブルを引き出した後の状態を示す斜視図である。
【図２３】図２２に示したケーブル巻取装置を裏返した状態を示す斜視図である。
【図２４】図１２に示したケーブル巻取装置においてケーブルを引き出す途中の状態を底面から見た状態を示す底面図である。
【図２５】図２４に示したケーブル巻取装置を表面から見た状態の平面図である。
【符号の説明】
【００８９】
１，１０１    ケーブル巻取装置
１１，１１１    本体ケース
１１ａ，１１１ａ    第３の支持板部
１１ｂ，１１ｃ，１１１ｂ，１１１ｃ    第１の側板部
１１ｄ，１１ｅ、１１ｄ，１１ｅ    第２の側板部  
１１ｆ，１１１ｆ    第１の切り欠き部
１１ｇ，１１１ｇ    第２の切り欠き部
１３，１１３    第１の支持板部
１３ａ，１１３ａ    ガイド穴
１５，１１５    固定軸
１５ａ，１１５ａ    巻きブッシュ
１６，１１６    巻付け固定軸
１７，１１７    可動回転軸
１８，１１８    可動軸部
１９，１１９    巻きブッシュ
２０，１２０    可動支持部
２１，１２１    カバー
２３，１２３    第２の支持板部
２３ａ，１２３ａ    支持ガイド穴
２５，１２５    巻きバネ
３１    ケーブル
１１２    ストッパー穴
１１２ａ    ストッパー部
１４１    ストッパー
１４３    ストッパーピン
１４３ａ    ノブ支持部
１４３ｂ    バネ保持穴
１４４    ストッパーノブ
１４４ａ    貫通穴
１５１    ストッパー巻きバネ
１５３    ストッパー回転軸
Ａ１，Ａ２    第１の方向
Ｂ１，Ｂ２    第２の方向
【図１】
2007119164.tif 000003
【図２】
2007119164.tif 000004
【図３】
2007119164.tif 000005
【図４】
2007119164.tif 000006
【図５】
2007119164.tif 000007
【図６】
2007119164.tif 000008
【図７】
2007119164.tif 000009
【図８】
2007119164.tif 000010
【図９】
2007119164.tif 000011
【図１０】
2007119164.tif 000012
【図１１】
2007119164.tif 000013
【図１２】
2007119164.tif 000014
【図１３】
2007119164.tif 000015
【図１４】
2007119164.tif 000016
【図１５】
2007119164.tif 000017
【図１６】
2007119164.tif 000018
【図１７】
2007119164.tif 000019
【図１８】
2007119164.tif 000020
【図１９】
2007119164.tif 000021
【図２０】
2007119164.tif 000022
【図２１】
2007119164.tif 000023
【図２２】
2007119164.tif 000024
【図２３】
2007119164.tif 000025
【図２４】
2007119164.tif 000026
【図２５】
2007119164.tif 000027